(57)【特許請求の範囲】
【請求項１】
中実柱状の基部と、
前記基部の両側部から左右対称に突出した一対の突出部と、
前記基部のうち前記突出部とは反対側にある背面に固定され、人に巻きつけることにより前記突出部に向かって押圧力を作用させるベルトとを備え、
一対の前記突出部の夫々の外側面どうしの幅は、一対の上後腸骨棘の間の幅よりも小さく構成されており、
一対の前記突出部の押圧面は、仙骨のみを押圧する仙骨押圧具。
【請求項２】
一対の前記突出部は、夫々の外側面どうしが前記基部から離間するほど近付く傾斜面で構成されている請求項１に記載の仙骨押圧具。
【請求項３】
前記基部は、前記背面が凸状曲面で構成されている請求項１又は２に記載の仙骨押圧具。
【請求項４】
前記基部は、両側にある一対の外側面どうしが前記突出部から離間するほど近付くテーパ面で構成されている請求項１又は２に記載の仙骨押圧具。
【請求項５】
前記押圧面は、平坦面で形成されている請求項１から４のいずれか一項に記載の仙骨押圧具。
【請求項６】
前記基部の上面から立設する立設部を更に備えている請求項１から５のいずれか一項に記載の仙骨押圧具。
【請求項７】
仙骨を押圧する押圧面を有し、当該押圧面の最外線どうしの幅が一対の上後腸骨棘の間の幅よりも小さく構成されている仙骨押圧具と、
前記仙骨押圧具が背部内側に固定された下半身被服と、を備え、
前記下半身被服に対する前記仙骨押圧具の固定位置は、前記押圧面が仙骨のみを押圧するように設定されている仙骨押圧ユニット。
【請求項８】
前記下半身被服の外周面に巻回可能な締付ベルトを更に備え、
前記下半身被服の少なくとも前記仙骨押圧具が位置する背面には、前記締付ベルトの巻回位置を固定する固定部が設けられている請求項７に記載の仙骨押圧ユニット。
【請求項９】
前記仙骨押圧具は、前記下半身被服の前記背部内側に固定された第一部材と、前記押圧面を有する第二部材と、前記第一部材と前記第二部材との間で着脱可能に接続される第三部材とを有している請求項７又は８に記載の仙骨押圧ユニット。
【発明の詳細な説明】
【技術分野】
【０００１】
本発明は、人の仙骨を押圧する仙骨押圧具および仙骨押圧ユニットに関するものである。
【背景技術】
【０００２】
仙骨は、大腿骨と脊柱との間で身体を支える骨盤の中央に位置している。この仙骨は、脊柱と接続されているため、体幹を安定させる重要な役割を担っている。従来、この仙骨を含む仙腸関節，腸骨など周辺をまとめて押圧して、体幹を矯正する仙骨押圧具が知られている（例えば、特許文献１−２参照）。【０００３】
特許文献１の仙骨押圧具は、腰部から仙骨部にかけて圧迫する逆三角形型の平板状パットを備えており、このパットの中心部には補強材が設けられている。この補強材によってパットの形状を保ちながら、腰および仙骨を圧迫して脊柱を矯正すると記載されている。【０００４】
特許文献２の仙骨押圧具は、仙骨を支持する当接面と、この当接面の上両側部を切欠いて形成され、仙骨の両側部にある上後腸骨棘を支持する支持面と、を備えたプレート状部材で構成されている。このプレート状部材を椅子の背板にセットして、上後腸骨棘を支持面で支持しながら、仙骨を当接面に押し当てるように着座すれば、腰椎の障害を予防できると記載されている。
【先行技術文献】
【特許文献】
【０００５】
【特許文献１】特開２０１２−１０５８１３号公報
【特許文献２】特開２００６−３１１９４６号公報
【発明の概要】
【発明が解決しようとする課題】
【０００６】
骨盤を構成する仙骨と腸骨との間には仙腸関節が位置しているが、現代人は、多かれ少なかれ仙腸関節の不安定性が生じている。その結果、上半身と下半身との連動が不安定となり、運動機能の低下や腰痛の原因となっている。【０００７】
特許文献１の仙骨押圧具は、平板状パットによって腰部から仙骨部にかけて圧迫しているので、仙骨の動きに制約を加えるものではない。同様に、特許文献２の仙骨押圧具は、プレート状部材の支持面によって仙腸関節も押圧しているので、仙骨の動きに制約を加えるものではない。このため、運動機能を効率的に改善できるものではなかった。【０００８】
また、特許文献１のような平板状パッドでは、仙骨だけを確実に押圧することができない。一方、特許文献２の仙骨押圧具は、静止時に仙骨を押圧して腰椎の障害を予防できたとしても、後上腸骨棘を支持する支持面によって仙骨と仙腸関節とを同時に押圧しているため、運動時に仙骨が不安定となり、上半身と下半身との間の伝達機能が低下する。【０００９】
そこで、安静時を含め運動時においても仙骨自体を安定させることで、上半身と下半身との間の伝達機能を改善し、運動機能を向上させることのできる仙骨押圧具および仙骨押圧ユニットが望まれている。
【課題を解決するための手段】
【００１０】
本発明に係る仙骨押圧具の特徴構成は、中実柱状の基部と、前記基部の両側部から左右対称に突出した一対の突出部と、前記基部のうち前記突出部とは反対側にある背面に固定され、人に巻きつけることにより前記突出部に向かって押圧力を作用させるベルトとを備え、一対の前記突出部の夫々の外側面どうしの幅は、一対の上後腸骨棘の間の幅よりも小さく構成されており、一対の前記突出部の押圧面は、仙骨のみを押圧する点にある。
【００１１】
本構成では、基部の両側部から一対の突出部を左右対称に突出させ、この基部を中実柱状に形成しているので、例えば、基部の背面にベルトを装着して仙骨に突出部を配置させれば、基部から仙骨に向かう方向の力を突出部の押圧面に確実に伝達することができる。【００１２】
このとき、本構成では、一対の突出部の夫々の外側面どうしの幅が一対の上後腸骨棘の間の幅よりも小さくなるよう構成されており、この突出部が仙骨のみを押圧する押圧面を有している。このため、この押圧面が上後腸骨棘近傍に位置する仙腸関節を押圧することなく仙骨のみを押圧して、仙骨を安定させることができる。つまり、仙骨の安定により上半身と下半身との間の伝達機能が改善されるので、骨盤が安定し、歩行、起立、回転、側屈などの機能が向上することによって、運動機能が向上し、腰痛を予防することができる。また、仙骨のみを押圧して仙骨に意識を集中させることによって、いわゆる丹田の意識を高めるトレーニングにもなる。【００１３】
このように、安静時を含め運動時においても仙骨自体を安定させることで、上半身と下半身との間の伝達機能を改善し、運動機能を向上させることのできる仙骨押圧具を提供できた。【００１４】
他の特徴構成は、一対の前記突出部は、夫々の外側面どうしが前記基部から離間するほど近付く傾斜面で構成されている点にある。【００１５】
本構成のように、一対の突出部における夫々の外側面どうしが基部から離間するほど近付く傾斜面で構成すれば、この傾斜面が突出部を上後腸骨棘より内側に配置するためのガイドとして機能し、仙骨押圧具を身体に装着し易い。また、運動時に押圧面が仙骨から位置ずれする方向に動いたとしても、この傾斜面によって押圧面が上後腸骨棘を押圧する状態になり難い。その結果、押圧面が仙骨のみを押圧した状態をより維持することができる。【００１６】
他の特徴構成は、前記基部のうち前記突出部とは反対側にある背面に固定され、人に巻きつけることにより前記突出部に向かって押圧力を作用させるベルトを更に備え、前記基部は、前記背面が凸状曲面で構成されている点にある。【００１７】
本構成のように、基部の背面を凸状曲面に構成すれば、人にベルトを巻いたときにベルトが基部の背面の凸状曲面に沿って当接するので、突出部の押圧面の仙骨に対する押圧力を効果的に高めることができる。よって、仙骨の安定性をさらに高めることができる。【００１８】
他の特徴構成は、前記基部のうち前記突出部とは反対側にある背面に固定され、人に巻きつけることにより前記突出部に向かって押圧力を作用させるベルトを更に備え、前記基部は、両側にある一対の外側面どうしが前記突出部から離間するほど近付くテーパ面で構成されている点にある。【００１９】
本構成のように、基部の外側面どうしが突出部から離間するほど近付くテーパ面で構成すれば、ベルトが当接する基部の背面の面積が小さくなる。その結果、ベルトの基部に対する単位面積当たりの当接応力が大きくなるので、突出部の押圧面の仙骨に対する押圧力を効果的に高めることができる。よって、仙骨の安定性をさらに高めることができる。【００２０】
他の特徴構成は、前記押圧面は、平坦面で形成されている点にある。【００２１】
仙骨は、背面に向かって凸状に湾曲している。本構成のように、仙骨を押圧する押圧面を平坦面で構成すれば凸状部分の一部領域に押圧力を集中させることができる。よって、仙骨の安定性をさらに高めることができる。【００２２】
他の特徴構成は、前記基部の上面から立設する立設部を更に備えている点にある。【００２３】
本構成のように基部の上面から立設する立設部を設けることで、突出部の押圧面を仙骨のみに押し当てた状態で、立設部を腰椎に沿って配置することが可能となる。その結果、仙骨が押圧された状態で反り腰となると立設部により圧迫されるので、反り腰を意識的に矯正して腰椎と仙骨の連動性を高めることができる。よって、上半身と下半身との間の伝達機能を改善し、運動機能を向上させることができる。【００２４】
本発明に係る仙骨押圧ユニットの特徴構成は、仙骨を押圧する押圧面を有し、当該押圧面の最外線どうしの幅が一対の上後腸骨棘の間の幅よりも小さく構成されている仙骨押圧具と、前記仙骨押圧具が背部内側に固定された下半身被服と、を備え、前記下半身被服に対する前記仙骨押圧具の固定位置は、前記押圧面が仙骨のみを押圧するように設定されている仙骨押圧ユニット。【００２５】
本構成の仙骨押圧ユニットは、仙骨を押圧する押圧面を有する仙骨押圧具と仙骨押圧具が背部内側に固定された下半身被服とを備え、下半身被服に対する仙骨押圧具の固定位置は押圧面が仙骨のみを押圧するように設定されている。その結果、下半身被服を装着するだけで、仙骨押圧具が仙骨のみを押圧すると共に、下半身被服によって仙骨押圧具の位置ずれが防止される。よって、仙骨押圧具の押圧面における仙骨に向かう方向の力を確実に伝達することができる。また、仙骨押圧具の押圧面の最外線どうしの幅が一対の上後腸骨棘の間の幅よりも小さくなるよう構成されているため、押圧面が上後腸骨棘近傍に位置する腸骨を押圧することなく仙骨のみを押圧して、仙骨を安定させることができる。つまり、仙骨の安定により上半身と下半身との間の伝達機能が改善されるので、骨盤が安定し、歩行、起立、回転、側屈などの機能が向上することによって、運動機能が向上し、腰痛を予防することができる。また、仙骨のみを押圧して仙骨に意識を集中させることによって、いわゆる丹田の意識を高めるトレーニングにもなる。【００２６】
このように、安静時を含め運動時においても仙骨自体を安定させることで、上半身と下半身との間の伝達機能を改善し、運動機能を向上させることのできる仙骨押圧ユニットを提供できた。【００２７】
他の特徴構成は、前記下半身被服の外周面に巻回可能な締付ベルトを更に備え、前記下半身被服の少なくとも前記仙骨押圧具が位置する背面には、前記締付ベルトの巻回位置を固定する固定部が設けられている点にある。【００２８】
本構成では、下半身被服の外周面に巻回される締付ベルトを設け、この締付ベルトが下半身被服のうち仙骨押圧具の位置する背面に固定されている。このため、仙骨押圧具の押圧面の仙骨に対する押圧力を大きくして、仙骨の安定性をさらに高めることができる。【００２９】
他の特徴構成は、前記仙骨押圧具は、前記下半身被服の前記背部内側に固定された第一部材と、前記押圧面を有する第二部材と、前記第一部材と前記第二部材との間で着脱可能に接続される第三部材とを有している点にある。【００３０】
本構成のように、仙骨押圧具として、第一部材と第二部材との間で着脱可能な第三部材を設けることで、高さを調整することが可能となり、仙骨押圧具の押圧面の仙骨に対する押圧力を調整することができる。このため、仙骨押圧具の押圧面の仙骨に対する押圧力を調整して、仙骨の安定性を確実に高めることができる。
【図面の簡単な説明】
【００３１】
【図１】第一実施形態に係る仙骨押圧具の斜視図である。
【図２】第一実施形態に係る仙骨押圧具を装着した状態を示す側面図である。
【図３】第一実施形態に係る仙骨押圧具を装着した状態を示す背面図である。
【図４】図２のIV-IV断面図である。
【図５】第一実施形態に係る仙骨押圧具の上面図である。
【図６】第二実施形態に係る仙骨押圧具の上面図である。
【図７】第三実施形態に係る仙骨押圧具の上面図である。
【図８】第四実施形態に係る仙骨押圧具の上面図である。
【図９】第五実施形態に係る仙骨押圧具の上面図である。
【図１０】第六実施形態に係る仙骨押圧具の斜視図である。
【図１１】第七実施形態に係る仙骨押圧具の斜視図である。
【図１２】第八実施形態に係る仙骨押圧具の斜視図である。
【図１３】仙骨押圧ユニットの斜視図である。
【図１４】仙骨押圧ユニットの一部を構成する仙骨押圧具の分解斜視図である。
【図１５】他の実施形態に係る仙骨押圧具の斜視図である。
【図１６】他の実施形態に係る仙骨押圧具の斜視図である。
【発明を実施するための形態】
【００３２】
以下に、本発明に係る仙骨押圧具および仙骨押圧ユニットの実施形態について、図面に基づいて説明する。本実施形態では、仙骨押圧具Ｘの背面２１ｂにベルトＢを装着した一例を説明する。ただし、以下の実施形態に限定されることなく、その要旨を逸脱しない範囲内で種々の変形が可能である。
【００３３】
以下の説明において、仙骨押圧具Ｘを人の仙骨１１に装着した状態の背面図を示す図３において、紙面上方（重心方向とは反対の方向）を上、紙面下方（重心方向）を下、紙面左方向を左、紙面右方向を右として説明する。
【００３４】
［仙骨押圧具］
［第一実施形態］
図１および図５に示すように、仙骨押圧具Ｘは、上面視（図５の上面図）において凹状に形成されており、四角柱状の基部２１と、基部２１の両側部から左右対称に突出した一対の突出部２２とを備えている。この突出部２２は、四角柱状に形成されており、前面（後述する押圧面２２ａ）が平坦面で構成されている。基部２１の背面２１ｂには、テープや接着等によってベルトＢが固定されている。この仙骨押圧具Ｘの一対の突出部２２を、仙骨１１に配置する（図３参照）。この状態で、ベルトＢを身体の腰回りに巻くことで、基部２１の背面２１ｂが突出部２２に向かって押圧される。また、一対の突出部２２の夫々の外側面２２ｂどうしの幅Ｌ３は、一対の腸骨１２の上後腸骨棘１３の間の幅Ｌ４よりも小さく構成されている（図３参照）。なお、基部２１にベルトＢが挿入される貫通孔（不図示）を形成して、ベルトＢを基部２１の貫通孔に挿入固定しても良い。
【００３５】
一対の突出部２２の夫々の外側面２２ｂどうしの幅Ｌ３は、一対の腸骨１２の上後腸骨棘１３の間の幅Ｌ４よりも小さく構成されているので、仙骨押圧具Ｘを人に装着したとき、仙骨押圧具Ｘの突出部２２が腸骨１２の上後腸骨棘１３よりも内側に配置され、突出部２２の押圧面２２ａが仙骨１１のみを押圧することとなる（図２〜図４参照）。なお、仙骨押圧具Ｘの固定方法は、ベルトＢを用いた固定に限定されず、仙骨押圧具Ｘをスパッツ等の内部に収容することで固定しても良いし、仙骨押圧具Ｘをスパッツ等の内部に収容した状態でベルトＢを仙骨押圧具Ｘの背面２１ｂに巻回して固定しても良い。
【００３６】
本実施形態における基部２１や突出部２２は、熱可塑性エラストマー、合成ゴムや合成樹脂等を用いたスポンジ（発泡成形品）又は合成ゴムや合成樹脂等の材料を用いて成形されており、細孔を除いて内部に空洞を有しない中実柱状の部材で構成されている。本実施形態では、基部２１と突出部２２とは異なる材料を用いて成形されており、基部２１と突出部２２とが接着等により接合されている。また、基部２１は、突出部２２よりも硬度が大きく設定されており、例えば、エチレン・酢酸ビニル共重合樹脂（ＥＶＡ樹脂）で構成されている。なお、基部２１と突出部２２とを同一の材料（熱可塑性エラストマー等）を用いて成形した一体物で構成しても良い。
【００３７】
突出部２２は、基部２１と上下方向の高さが同一に形成された四角柱状に構成されている。この突出部２２は、図１〜図４に示すように腸骨１２の上後腸骨棘１３よりも内側に配置されており、仙骨１１のみを押圧する平坦面で構成される押圧面２２ａと、基部２１の側面２１ａと同一平面上に設定された外側面２２ｂとを有している。また、一対の突出部２２の間には、窪み部２２ｃが形成されており、この窪み部２２ｃは正中仙骨稜１５の形状に対応した奥行きＬ１および幅Ｌ２となっている。なお、この窪み部２２ｃを省略してもよい。
【００３８】
一対の突出部２２の外側面２２ｂ（一対の押圧面２２ａの最外線）どうしの幅Ｌ３は、一対の上後腸骨棘１３の最内端どうしの幅Ｌ４の０．７〜０．９５倍、好ましくは０．８〜０．９５倍に設定されている（図３参照）。一対の突出部２２の外側面２２ｂどうしの幅Ｌ３を一対の上後腸骨棘１３の最内端どうしの幅Ｌ４の０．９５倍以下に設定すれば、仙骨１１に対する押圧面２２ａの位置が左右方向に若干ずれたとしても、押圧面２２ａが上後腸骨棘１３を押圧しない。また、一対の突出部２２の外側面２２ｂどうしの幅Ｌ３が一対の上後腸骨棘１３の最内端どうしの幅Ｌ４の０．７倍以上に設定すれば、仙骨１１に対する押圧面２２ａの押圧面積が適正に確保され、押圧姿勢が安定する。しかも、一対の突出部２２の外側面２２ｂどうしの幅Ｌ３を小さくしすぎると、押圧面２２ａの皮膚接触圧が高まり、血行障害を誘発するおそれがある。なお、上後腸骨棘１３の最内端どうしの幅Ｌ４は個人差があるので、予め幅Ｌ４を計測した上で一対の突出部２２の外側面２２ｂどうしの幅Ｌ３が設定される。
【００３９】
なお、突出部２２は、上後腸骨棘１３よりも内側に配置されて仙骨１１のみを押圧する押圧面２２ａを有していれば、基部２１の上下方向の高さより小さく設定しても良いし、突出部２２の外側面２２ｂを基部２１の側面２１ａよりも内側に引退させても良い。
【００４０】
このように、基部２１の両側部から一対の突出部２２を左右対称に突出させ、この基部２１を中実柱状に形成しているので、基部２１の背面２１ｂにベルトＢを装着して仙骨１１に突出部２２を配置させれば、ベルトＢの締付力によって基部２１から仙骨１１に向かう方向Ｆの力が突出部２２の押圧面２２ａに効果的に伝達される（図２および図４参照）。しかも、本実施形態では、基部２１が突出部２２よりも硬度が大きく設定されているので、この基部２１から仙骨１１に向かう方向Ｆの力は、基部２１によって減少し難く、突出部２２の押圧面２２ａに確実に伝達される。
【００４１】
本実施形態では、突出部２２が上後腸骨棘１３よりも内側に配置されており、この突出部２２が仙骨１１のみを特異的に押圧する押圧面２２ａを有している。これは、仙腸関節１４の機能の妨げを防ぐ目的がある。つまり、仙骨１１のみを特異的に押圧することで、仙腸関節１４の可動性亢進（動き過ぎる）、退行性変性（動かない）の何れの問題にも対応することができ、加重伝達機能の改善，向上を望むことができる。一例として、歩行時やランニング時のように、短時間で仙腸関節１４の左右交互の機能切替えが求められる場合において、仙骨１１のみを特異的に押圧することで支持脚が安定し適切な荷重伝達機能の働きが得られ、下肢の滑らかな運動や腰仙関節での適切な荷重伝達が行われる。その結果、運動機能の向上や腰痛などの予防，改善を望むことができる。
【００４２】
仙腸関節１４は一般的に平面関節であり、滑膜性関節である。これは、神経支配を豊富に受けていることであり、仙腸関節１４には多くの固有受容器が分布する。仙骨１１のみを特異的に押圧する突出部２２の押圧面２２ａの働きにより、これら固有受容器への刺激を加えることが可能となる。これにより、具体的には仙骨１１のうなずき運動，起き上がり運動，仙骨安定が感覚的に導かれるようになる。従来の装具における固定，矯正，サポートとは目的が異なり、本発明は、加重伝達機能の改善，向上による動作改善を導くことが主目的である。つまり、安静時の姿勢改善のみでなく、動作時の運動機能の向上，改善に繋がるものである。
【００４３】
従来の腰部ベルトや骨盤ベルトは、腹圧を高めるなどの着圧をかけ、腰椎あるいは骨盤の可動性に制限をかけることで負担を軽減させる構造であった。このため、腰部や臀部の可動を過剰に抑制することで得られる当該部位への負担軽減と引き換えに荷重伝達機能の低下をきたしていたが、本実施形態における仙骨押圧具Ｘは、可動制限がほぼ無いため、運動時を含めて長期使用が可能である。
【００４４】
以下、別実施形態について図面を用いて説明する。基本構成は、上述した実施形態と同様であるため、異なる構成についてのみ図面を用いて説明する。なお、図面の理解を容易にするため、上述した実施形態と同じ部材名称および符号を用いて説明する。
【００４５】
［第二実施形態］
図６は上面図であり、第二実施形態に係る仙骨押圧具ＸＡを示す。本実施形態では、一対の突出部２２Ａの外側面２２Ａｂどうしが基部２１から離間するほど近付く傾斜面で構成されている。換言すると、突出部２２Ａの押圧面２２Ａａ側の外角部を三角柱状に切欠いて外側面２２Ａｂが形成されている。また、突出部２２Ａの押圧面２２Ａａに垂直な仮想平面Ｋと外側面２２Ａｂとの成す角θは、４５度以下の鋭角で構成するのが好ましい。
これにより、外側面２２Ａｂの上後腸骨棘１３側への膨出量が抑制されるので、押圧面２２Ａａの押圧面積を確保しながらも、突出部２２Ａの上後腸骨棘１３に対する押圧を防止することができる。なお、図６に示すように、突出部２２Ａの外側面２２Ａｂにおける傾斜面を平坦面で構成しているが、曲面であっても良く特に限定されない。
【００４６】
本実施形態では、外側面２２Ａｂの傾斜面が突出部２２Ａを上後腸骨棘１３より内側に配置するためのガイドとして機能し、仙骨押圧具ＸＡを身体に装着し易い。また、運動時に押圧面２２Ａａが仙骨１１から位置ずれする方向に動いたとしても、この傾斜面によって押圧面２２Ａａが上後腸骨棘１３を押圧する状態になり難い。その結果、押圧面２２Ａａが仙骨１１のみを押圧した状態を確実に維持することができる。その他の構成、作用効果は第一実施形態と同様であるので、詳細な説明は省略する。
【００４７】
［第三実施形態］
図７は上面図であり、第三実施形態に係る仙骨押圧具ＸＢを示す。本実施形態では、基部２１Ｂの背面２１Ｂｂが凸状曲面で構成されている。なお、本実施形態においても、第二実施形態のように、一対の突出部２２が、夫々の外側面２２ｂどうしが基部２１Ｂから離間するほど近付く傾斜面で構成しても良い。
【００４８】
本実施形態では、ベルトＢが基部２１Ｂの背面２１Ｂｂの凸状曲面に沿って当接するので、突出部２２の押圧面２２ａの仙骨１１に対する押圧力を効果的に高めることができる。よって、仙骨１１が安定するので、運動機能をより高めることができる。その他の構成、作用効果は第一実施形態と同様であるので、詳細な説明は省略する。
【００４９】
［第四実施形態］
図８は上面図であり、第四実施形態に係る仙骨押圧具ＸＣを示す。本実施形態では、基部２１Ｃの一対の外側面２１Ｃａどうしが突出部２２から離間するほど近付くテーパ面で構成されている。換言すると、基部２１Ｃの外側面２１Ｃａと背面２１Ｃｂとの両角部を三角柱状に切欠いて外側面２１Ｃａが形成されている。なお、本実施形態においても、第二実施形態のように、一対の突出部２２が、夫々の外側面２２ｂどうしが基部２１Ｃから離間する先端に行くほど近付く傾斜面で構成しても良い。
【００５０】
本実施形態では、ベルトＢが当接する基部２１Ｃの背面２１Ｃｂの面積が、第一実施形態に比べて小さくなる。その結果、ベルトＢの基部２１Ｃに対する単位面積当たりの当接応力が大きくなるので、押圧面２２ａの仙骨１１に対する押圧力を効果的に高めることができる。よって、仙骨１１が安定するので、運動機能をより高めることができる。その他の構成、作用効果は第一実施形態と同様であるので、詳細な説明は省略する。
【００５１】
［第五実施形態］
図９は上面図であり、第五実施形態に係る仙骨押圧具ＸＤを示す。本実施形態では、基部２１Ｄの背面２１Ｄｂが凹状に形成されており、この背面２１Ｄｂは、夫々の側面２１Ｄａに連なる一対の曲面部２３と、これら曲面部２３の間に形成された溝部２４とを有している。なお、曲面部２３を四角柱状に構成しても良いし、溝部２４の形状も特に限定されない。また、本実施形態においても、第二実施形態のように、一対の突出部２２が、夫々の外側面２２ｂどうしが基部２１Ｄから離間するほど近付く傾斜面で構成しても良い。
【００５２】
本実施形態では、基部２１から仙骨１１に向かう方向Ｆに沿うように、一対の曲面部２３と一対の突出部２２とが夫々対応して配置されているので、ベルトＢの基部２１Ｄに対する当接応力を効率よく突出部２２の押圧面２２ａに伝達することができる。よって、仙骨１１が安定するので、運動機能をより高めることができる。その他の構成、作用効果は第一実施形態と同様であるので、詳細な説明は省略する。
【００５３】
［第六実施形態］
図１０には、第六実施形態に係る仙骨押圧具ＸＥの斜視図が示される。本実施形態では、突出部２２Ｅの押圧面２２Ｅａが、尾骨１０から仙骨１１にかけての腰の背面形状に沿った曲面で構成されている。これによって、仙骨押圧具ＸＥを違和感なく装着することができる。その他の構成、作用効果は第一実施形態と同様であるので、詳細な説明は省略する。なお、上述した第二実施形態から第五実施形態の構成を組み合わせても良い。
【００５４】
［第七実施形態］
図１１には、第七実施形態に係る仙骨押圧具ＸＦの斜視図が示される。本実施形態では、突出部２２Ｆの押圧面２２Ｆａが、突出部２２Ｆの厚みが徐々に減少するような平坦な傾斜面で構成されている。これによって、仙骨１１の湾曲形状に個人差があった場合でも、尾骨１０から仙骨１１にかけての腰の背面形状に押圧面２２Ｆａを概ね沿わせることが可能となるので、仙骨押圧具ＸＦを違和感なく装着するための自由度を高めることができる。その他の構成、作用効果は第一実施形態と同様であるので、詳細な説明は省略する。
なお、上述した第二実施形態から第五実施形態の構成を組み合わせても良い。
【００５５】
［第八実施形態］
図１２には、第八実施形態に係る仙骨押圧具ＸＧの斜視図が示される。本実施形態では、第一実施形態における基部２１の上面から立設する立設部２５をさらに備えている。また、この立設部２５の背面２５ａを基部２１の背面２１ｂから突出部２２に向かって引退させることで段差部２６が形成されている。この段差部２６における突出部２２の上面からの高さＨ１は、仙骨押圧具ＸＧがずれないように個人の体型に合わせて決定される。基部２１の背面２１ｂには、テープや接着等によって第一ベルトＢ１（上述のベルトＢと同様）が固定されており、立設部２５の背面２５ａにはテープや接着等によって第二ベルトＢ２が固定されている。この第二ベルトＢ２の下端は、段差部２６の上面に当接した状態で固定されている。なお、立設部２５に第二ベルトＢ２が挿入される貫通孔（不図示）を形成して、第二ベルトＢ２を立設部２５の貫通孔に挿入固定しても良い。また、第二ベルトＢ２は、ズボン等に装着しているベルトを流用しても良い。
【００５６】
仙骨押圧具ＸＧの使用時には、第一ベルトＢ１を身体の腰回りに巻くことで、基部２１の背面２１ｂが突出部２２に向かって押圧される。この状態で運動したとき、仙骨１１の下方に湾曲した形状に起因して、仙骨押圧具ＸＧが上方に位置ずれする可能性がある。そこで、本実施形態では、第二ベルトＢ２も身体の腰回りに巻くことで仙骨押圧具ＸＧの位置ずれが防止されるので、突出部２２が仙骨１１のみを押圧した状態を確実に維持することができる。特に、第二ベルトＢ２の下端を段差部２６の上面に当接させているので、仙骨押圧具ＸＧの位置ずれを確実に防止することができる。
【００５７】
また、立設部２５を腰椎１６に沿って配置すれば、立設部２５を基準として腰椎１６の姿勢を整えることができる。その結果、仙骨１１が押圧された状態で反り腰となると立設部２５により圧迫されるので、反り腰を意識的に矯正して腰椎１６と仙骨１１の連動性を高めることができる。その他の構成、作用効果は第一実施形態と同様であるので、詳細な説明は省略する。なお、上述した第二実施形態から第七実施形態の構成を組み合わせても良い。
【００５８】
［その他の実施形態］
上述した実施形態では、基部２１や突出部２２を四角柱状に構成したが、角部を円弧状に切欠いた柱状体で構成して良いし、円柱状や楕円柱状に構成しても良い。
【００５９】
［仙骨押圧ユニット］
図１３に示すように、本実施形態に係る仙骨押圧ユニットＹは、中実柱状の基部２１Ｈと、仙骨１１のみを押圧する平坦面で構成される押圧面２２Ｈａが先端に形成され、基部２１Ｈの両側部から左右対称に突出した一対の突出部２２Ｈと、を有する仙骨押圧具ＸＨと、仙骨押圧具ＸＨを収容するポケット３１が背部内側に設けられたスパッツ３（下半身被服の一例）と、スパッツ３の外周面に巻回可能な締付ベルト４とを備えている。なお、仙骨押圧具ＸＨが固定される下半身被服としては、スパッツ３に限定されず、その他の下着、ズボンやスカート等であっても良い。
【００６０】
仙骨押圧具ＸＨの突出部２２Ｈの構成は、外端角部を円弧状に切欠いた柱状体である点を除いて上述した第一実施形態における突出部２２と同様であるので詳細な説明を省略する。なお、突出部２２Ｈを、上述した第二実施形態の図６、第六実施形態の図１０や第七実施形態の図１１のような形状にしても良い。
【００６１】
本実施形態における仙骨押圧具ＸＨは、ポケット３１に固定され、基部２１Ｈの一部を構成する第一部材ＸＨａと、基部２１Ｈの一部および一対の突出部２２Ｈを構成する第二部材ＸＨｂと、第一部材ＸＨａと第二部材ＸＨｂとの間で着脱可能に接続され、基部２１Ｈの一部を構成する第三部材ＸＨｃとを有している。これら第一部材ＸＨａ，第二部材ＸＨｂおよび第三部材ＸＨｃは、熱可塑性エラストマー等の柔軟性のある弾性部材で、夫々が一体成形されている。
【００６２】
図１４に示すように、第一部材ＸＨａは、四角柱状の第一本体部５１と、第一本体部５１の一端から外側に周方向に亘って平板状に延出し、スパッツ３の背部内側に縫合等で固定される環状縫合部５２とを有している。また、第一本体部５１の他端には、表面を突出させた第一突出端部５１ａが形成されており、この第一突出端部５１ａの表面には、円柱状に窪ませた複数（本実施形態では３箇所）の第一窪み部５１ｂが設けられている。
【００６３】
第二部材ＸＨｂは、基部２１Ｈの一部を構成する第二本体部５３と、第二本体部５３の一端の両側部から左右対称に一体的に延出させた一対の突出部２２Ｈとを有している。第二本体部５３の他端には、表面を矩形状に窪ませた第一矩形凹部５３ａが形成されており、この第一矩形凹部５３ａの底部には、円柱状に突出した複数（本実施形態では３箇所）の第一突起部５３ｂが設けられている。
【００６４】
第三部材ＸＨｃは、四角柱状の第三本体部５４を有している。第三本体部５４の一端には、表面を矩形状に窪ませた第二矩形凹部５４ａが形成されており、この第二矩形凹部５４ａの底部には、円柱状に突出した複数（本実施形態では３箇所）の第二突起部５４ｂが設けられている。第三本体部５４の他端には、表面を突出させた第二突出端部５４ｃが形成されており、この第二突出端部５４ｃの表面には、円柱状に窪ませた複数（本実施形態では３箇所）の第二窪み部５４ｄが設けられている。なお、第三部材ＸＨｃの背面を、上述した第三実施形態の図７、第四実施形態の図８や第五実施形態の図９のような形状にしても良い。
【００６５】
このような構成から、第一部材ＸＨａの第一突出端部５１ａと第三部材ＸＨｃの第二矩形凹部５４ａとが、第一窪み部５１ｂと第二突起部５４ｂとを嵌め合せた状態で係合する。また、第三部材ＸＨｃの第二突出端部５４ｃと第二部材ＸＨｂの第二矩形凹部５４ａとが、第二窪み部５４ｄと第一突起部５３ｂとを嵌め合せた状態で係合する。一方、第三部材ＸＨｃが必要でない場合は、第一部材ＸＨａの第一突出端部５１ａと第二部材ＸＨｂの第二矩形凹部５４ａとが、第一窪み部５１ｂと第一突起部５３ｂとを嵌め合せた状態で係合する。このように、第一部材ＸＨａと第二部材ＸＨｂとの間で着脱可能な第三部材ＸＨｃを設けることで、仙骨押圧具ＸＨの高さを調整することが可能となり、突出部２２Ｈの押圧面２２Ｈａの仙骨１１に対する押圧力を調整することができる。なお、第一部材ＸＨａ又は第二部材ＸＨｂと第三部材ＸＨｃとの接続形態は、窪み部５１ｂ，５４ｄと突起部５３ｂ，５４ｂとを省略して、突出端部５１ａ，５４ｃと矩形凹部５３ａ，５４ａとの係合のみとしても良いし、他の係合形態を採用しても良く特に限定されない。
【００６６】
図１３に示すように、スパッツ３は、ポリウレタン等の伸縮性のある素材で構成されており、人がスパッツ３を履いたとき、仙骨押圧具ＸＨを収容した状態のポケット３１が、仙骨１１の位置となるように設定されている。このポケット３１は仙骨押圧具ＸＨの落下防止用として設けられているが、ポケット３１を省略しても良い。
【００６７】
また、スパッツ３の外周面には、後述する締付ベルト４の巻回部４１が挿入されて締付ベルト４の巻回位置を固定する複数（本実施形態では５箇所）の固定部３２が縫合されている。この固定部３２は、伸縮性のない樹脂や布等の素材で構成されており、締付ベルト４の巻回部４１の幅と同等の孔寸法を有している。本実施形態の固定部３２は、締付ベルト４が上前腸骨棘のやや下方に位置するように設定されており、締付ベルト４の装着性を高めている。これによって、固定部３２に固定された締付ベルト４が上下移動しないため、突出部２２Ｈの押圧面２２Ｈａの仙骨１１に対する押圧力を常に一定に維持することができる。特に、本実施形態では、スパッツ３のポケット３１が位置する背面に固定部３２ａを設けている。このため、突出部２２Ｈの押圧面２２Ｈａの仙骨１１に対する押圧力を大きくして、仙骨１１の安定性をさらに高めることができる。
【００６８】
締付ベルト４は、伸縮性のない樹脂や布等の素材で構成されており、スパッツ３の外周面に巻回される巻回部４１と、巻回部４１の一端に固定された第一留め部材４２と、巻回部４１の他端に設けられ、巻回部４１の長さを調整可能な第二留め部材４３とを有している。締付ベルト４の装着時には、巻回部４１を撓ませた状態で第二留め部材４３に仮止めし、第一留め部材４２と第二留め部材４３とを接続した後に巻回部４１の他端を引っ張る。これにより、スパッツ３に収容された仙骨押圧具ＸＨを仙骨１１に向かって移動させ、突出部２２Ｈの押圧面２２Ｈａの仙骨１１に対する押圧力を高めることができる。
【００６９】
このように、本実施形態の仙骨押圧ユニットＹは、スパッツ３を装着するだけで仙骨押圧具ＸＨが仙骨１１のみを押圧すると共に、スパッツ３に仙骨押圧具ＸＨが固定されることによって仙骨押圧具ＸＨの位置ずれが防止される。その結果、スパッツ３の収縮力によって基部２１Ｈから仙骨１１に向かう方向の力を突出部２２Ｈの押圧面２２Ｈａに確実に伝達することができる。
【００７０】
上述した実施形態から下記の構成が想起できる。
（１）中実柱状の基部２１Ｈと、基部２１Ｈの両側部から左右対称に突出した一対の突出部２２Ｈとを有する仙骨押圧具ＸＨと、仙骨押圧具ＸＨが背部内側に固定されたスパッツ３と、を備え、仙骨押圧具ＸＨは、一対の突出部２２Ｈの夫々の外側面どうしの幅が一対の上後腸骨棘１３の間の幅よりも小さく構成されており、スパッツ３に対する仙骨押圧具ＸＨの固定位置は、一対の突出部２２Ｈの押圧面２２Ｈａが仙骨１１のみを押圧するように設定されている仙骨押圧ユニットＹ。
（２）仙骨押圧具ＸＨは、スパッツ３の背部内側に固定され、基部２１Ｈの一部を構成する第一部材ＸＨａと、基部２１Ｈの一部および一対の突出部２２Ｈを構成する第二部材ＸＨｂと、第一部材ＸＨａと第二部材ＸＨｂとの間で着脱可能に接続され、基部２１Ｈの一部を構成する第三部材ＸＨｃとを有している。
【００７１】
［その他の実施形態］
（ａ）上述した仙骨押圧ユニットＹにおいて、仙骨押圧具ＸＨの第三部材ＸＨｃを省略しても良いし、第三部材ＸＨｃを複数設けても良い。また、仙骨押圧具ＸＨの第一部材ＸＨａ，第二部材ＸＨｂおよび第三部材ＸＨｃを一体で構成しても良い。また、仙骨押圧具ＸＨの一対の突出部２２Ｈを省略して基部２１Ｈのみで構成しても良い。また、締付ベルト４を省略して、スパッツ３の伸縮力のみで仙骨押圧具ＸＨを仙骨１１に向かって移動させるように構成しても良い。
【００７２】
（ｂ）上述した仙骨押圧ユニットＹにおいて、図１５に示すような仙骨押圧具ＸＩを用いても良い。本実施形態の仙骨押圧具ＸＩは、第二部材ＸＩｂの高さを上述した仙骨押圧具ＸＨの第二部材ＸＨｂの高さよりも小さく構成して、第一部材ＸＩａと第二部材ＸＩｂとを接続している。これにより、仙骨押圧ユニットＹを装着した際、仙骨押圧具ＸＩによってスパッツ３の背部が外部に突出する突出量を小さくすることができる。また、第二部材ＸＩｂの一対の突出部２２Ｉの周囲をＲ形状に構成し、一対の突出部２２Ｉの間にある凹部２７の周囲もＲ形状に構成している。このＲ形状により、突出部２２Ｉの押圧面２２Ｉａが腸骨１２を圧迫することなく、仙骨１１のみを効果的に押圧することができる。
【００７３】
（ｃ）図１５に示す仙骨押圧具ＨＩにおける第一部材ＸＩａと第二部材ＸＩｂとの間に、図１６に示すような高さ調節部材としての第三部材ＸＩｃを接続しても良い。この第三部材ＸＩｃの高さは、第二部材ＸＩｂの高さ以上に構成することが好ましい。これにより、仙骨押圧具ＨＩの仙骨１１に対する押圧力を確実に高めることができる。なお、第一部材ＸＩａ，第二部材ＸＩｂおよび第三部材ＸＩｃの係合形態は上述した実施形態と同様であるので詳細な説明を省略する。
【産業上の利用可能性】
【００７４】
本発明は、運動機能を高め、腰痛等を予防, 改善するための健康器具としての仙骨押圧具および仙骨押圧ユニットに利用可能である。
【符号の説明】
【００７５】
３        スパッツ（下半身被服）
４        締付ベルト
１０      尾骨
１１      仙骨
１２      腸骨
１３      上後腸骨棘
１４      仙腸関節
１５      正中仙骨稜
１６      腰椎
２１      基部
２１Ｂ    基部
２１Ｂｂ  背面
２１Ｃ    基部
２１Ｃａ  外側面
２１Ｃｂ  背面
２１Ｄ    基部
２１Ｄａ  側面
２１Ｄｂ  背面
２１Ｈ    基部
２２      突出部
２２ａ    押圧面
２２ｂ    外側面
２２ｃ    窪み部
２２Ａ    突出部
２２Ａａ  押圧面
２２Ａｂ  外側面
２２Ｅ    突出部
２２Ｅａ  押圧面
２２Ｆ    突出部
２２Ｆａ  押圧面
２２Ｈ    突出部
２２Ｈａ  押圧面
２２Ｉ    突出部
２２Ｉａ  押圧面
２３      曲面部
２４      溝部
２５      立設部
２５ａ    背面
２６      段差部
３１      ポケット
３２ａ    固定部
Ｂ        ベルト
Ｂ１      第一ベルト
Ｂ２      第二ベルト
Ｆ        基部から仙骨に向かう方向
Ｈ１      段差部における突出部の上面からの高さ
Ｌ１      窪み部の奥行き
Ｌ２      窪み部の幅
Ｌ３      突出部の夫々の外側面どうしの幅
Ｌ４      一対の上後腸骨棘の間の幅
Ｘ        仙骨押圧具
ＸＡ〜ＸＧ  仙骨押圧具
ＸＨ，ＸＩ  仙骨押圧具
ＸＨａ，ＸＩａ  第一部材
ＸＨｂ，ＸＩｂ  第二部材
ＸＨｃ，ＸＩｃ  第三部材
Ｙ        仙骨押圧ユニット
【要約】
安静時を含め運動時においても仙骨自体を安定させることで、上半身と下半身との間の伝達機能を改善し、運動機能を向上させることのできる仙骨押圧具を提供する。仙骨押圧具（Ｘ）は、中実柱状の基部（２１）と、基部（２１）の両側部から左右対称に突出した一対の突出部（２２）とを備え、一対の突出部（２２）の夫々の外側面（２２ｂ）どうしの幅は、一対の上後腸骨棘（１３）の間の幅よりも小さく構成されており、一対の突出部（２２）の押圧面（２２ａ）は、仙骨（１１）のみを押圧する。【図１】
0006376633.tif 000002
【図２】
0006376633.tif 000003
【図３】
0006376633.tif 000004
【図４】
0006376633.tif 000005
【図５】
0006376633.tif 000006
【図６】
0006376633.tif 000007
【図７】
0006376633.tif 000008
【図８】
0006376633.tif 000009
【図９】
0006376633.tif 000010
【図１０】
0006376633.tif 000011
【図１１】
0006376633.tif 000012
【図１２】
0006376633.tif 000013
【図１３】
0006376633.tif 000014
【図１４】
0006376633.tif 000015
【図１５】
0006376633.tif 000016
【図１６】
0006376633.tif 000017